(57)【要約】  【課  題】  制御盤，操作盤などに組み込まれたピンロック形回路遮断器と連動する機器装置の保守点検時における複数作業員の安全確保の方法として、ピンロック形回路遮断器の開口孔にロック装置を差し込み、複数人が同時にかつ個々にロック出来る多重ロック装置を提供する。  【解決手段】  本発明のピンロック形回路遮断器を多重ロックする手段として、ピンロック形回路遮断器のピン孔にロックバーを差込み、ロックバーと一体となった施錠柱を自由に上下させることのできるロックフックを、ピンロック形回路遮断器のピン孔を通したロックバーに差し込みロックさせるとともに、ロックフックを位置保持するための施錠柱に設けられた複数錠孔の任意の位置に錠を掛けることにより、ピンロック形回路遮断器を多重ロックすることで解決するものである。  【選択図】図１ａ
2005347163.tif 000002
【特許請求の範囲】
【請求項１】
制御盤，操作盤などに組み込まれたピンロック形回路遮断器を多重ロックする手段として、ピンロック形回路遮断器のピン孔にロックバーを差込み、ロックバーと一体となった施錠柱を自由に上下させることのできるロックフックを、ピンロック形回路遮断器のピン孔を通したロックバーに差し込みロックさせるとともに、ロックフックを位置保持するための施錠柱に設けられた複数錠孔の任意の位置に錠を掛けることにより、ピンロック形回路遮断器を多重ロックすることを特徴とした多重ロック装置。
【請求項２】
多重ロックするための施錠孔を複数有しており、それらのどの位置に於いて錠を掛けても、ロックフックを解除できないような施錠孔を配置した請求項１記載の多重ロック装置。
【請求項３】
施錠柱の最下部位置にロックフックがある状態でのみロックフックを解除することが出来、また本発明品を持ち運びする際にロックフックと施錠柱が分離しないように、施錠柱最下段に施錠柱と一体となったストッパーを有する請求項１記載の多重ロック装置。
【請求項４】
錠が南京錠またはシリンダー錠である請求項１記載の多重ロック装置。
【発明の詳細な説明】
【技術分野】
【０００１】
本発明は、制御盤，操作盤などに組み込まれたピンロック形回路遮断器を多重ロックするための装置に関する。
【背景技術】
【０００２】
制御盤，操作盤などに組み込まれた回路遮断器において、当該回路遮断器と連動する機器装置の保守点検時における作業員の安全確保の方法としては、回路遮断器に安全錠や南京錠を掛けるのが公知であり（特許文献１）、複数人での保守点検作業においては回路遮断器をセーフティロックや跳ね蓋により多重ロックアウトするものが知られている（特許文献２）。また、これらの回路遮断器の内、回路遮断器自身に孔を有し、その開口孔にピンを差込んでロックする形態のピンロック形回路遮断器にあっては、吊長シリンダー南京錠にてロックを行い保守点検時における作業者の安全確保を行うことは周知のものである。
【０００３】
しかしながら、吊長シリンダー南京錠によるピンロック形回路遮断器のロックアウトにおいては、その吊長シリンダー南京錠が作業者一人しかロック出来ないため、当該ピンロック形回路遮断器と連動する機器装置の保守点検作業を複数人で行う場合における作業者の個々人の安全確保をすることが出来ない。ある作業者一人が作業を終わり南京錠を外したものの、他の作業者が引き続き当該回路遮断器と連動する機器装置の保守点検を行っていた場合には、誤って他人が当該回路遮断器をオン，オフすることが出来るため当該機器装置の運転もしくは停止により、保守点検中の作業者が災害を受けるおそれがある。
【特許文献１】特開平１０−１３４６９３号公報
【特許文献２】特表平１１−５１０９４７号公報
【発明の開示】
【発明が解決しようとする課題】
【０００４】
そこで、制御盤，操作盤などに組み込まれたピンロック形回路遮断器における多重ロック方法について、制御盤，操作盤の改造変更を伴わず、安価で簡単に多重ロックアウトできる装置を提供するものである。
【課題を解決するための手段】
【０００５】
本課題を解決するために、本発明ではピンロック形回路遮断器のピン孔に差込みできるロックバーおよび複数の錠を掛けられる施錠柱、施錠柱を自由に上下できるロックフックならびにロックフックの分離防止用ストッパーで構成される装置にて解決するものであり、具体的には次記のような形態で構成するものである。
【発明の効果】
【０００６】
以上のように本発明の構成によれば、制御盤，操作盤に組み込まれたピンロック形回路遮断器をより確実に多重ロックできることにより、保守点検における作業員の安全確保をより一層高めることが出来る。さらに、制御盤，操作盤への追加付帯は不要であり、安価にて安全性を高められる。
【発明を実施するための最良の形態】
【０００７】
１．ピンロック形回路遮断器を操作し、その状態を保持するためにピンロック形回路遮断器のピン孔にロックバーを挿入する。ロックバーを挿入されたことで、当該遮断器はその状態を保持することが出来、ロックバーを抜き取らない限り、その状態を変えることは出来ない。次に、施錠柱最下部にて自由に回転出来るロックフックを回し、ロックフックとロックバーが一致した位置でロックフックを持上げる。この状態においては、ロックフックはロックバーを掴んでいるため自由に回転することが出来ない。つまり、ロックフックとロックバーが連結されたことによりロックフックの自由回転を拘束するものである。
【０００８】
２．その上で、持ち上げたロックフックより下にある、施錠柱に設けられた複数の施錠孔の一つに錠を掛ける。錠が掛けられた状態では、ロックフックを外してロックバーを抜き取ることが出来ないため、この時点で、当該作業者が錠を外し解除しない限り、回路遮断器を他人が操作することは出来ない。
【０００９】
３．次に、当該作業員以外の作業員が、同じピンロック形回路遮断器と共有する機器装置の保守点検を行おうとした場合には、さらにロックフックを持ち上げ、施錠柱に設けられた施錠可能な施錠孔に別の錠を掛ける。この状態を保持することで、同じピンロック形回路遮断器における複数の機器装置について多重ロックすることが出来るため、各々の作業員について災害を回避することが出来る。
【００１０】
４．一方、解除するに当たっては、先の作業者が一つの錠を外したとしても、全ての錠が外されない限りロックフックは解除出来ないため、回路遮断器を共有する全ての作業員の同意が得られない限り当該回路遮断器の操作は出来ない。
【実施例】
【００１１】
図１ａは、本発明品を操作盤に組み込まれたピンロック形回路遮断器に取り付けた実施例を斜視図で示す。
【００１２】
図１ｂは、本発明品を解除する状態の実施例を斜視図で示す。
【００１３】
図２は、ピンロック形回路遮断器における従来のロックアウト状態を斜視図で示す。
【００１４】
図１ａにおいて、操作盤に組み込まれたピンロック形回路遮断器１のピン孔１ａに、ロックバー２ａが差し  込まれており、ロックバー２ａとロックフック３は互いに連結された状態である。施錠柱２ｂはロックバー  ２ａと一体構造となっており、施錠柱２ｂの施錠孔２ｃには南京錠４が掛けられ、ロックフック３を解除出  来ないようになっている。また、施錠柱２ｂには、ストッパー２ｄを一体構造として有している。施錠孔２ｃは複数個あり、その施錠孔２ｃのどの孔に南京錠４を掛けてもロックフックは解除出来ない。もちろん、施錠孔２ｃの個数分に見合う数の、別の南京錠を同時に掛けることが出来る。図１ｂにおいて、南京錠４を外し、ロックフック３を施錠柱２ｂの最下部位置にて旋回させ、ロックフック３とロックバー２ａとを解除する。その後、ロックバー２ａをピンロック形回路遮断器１のピン孔１ａから抜き取ることが出来る。
【図面の簡単な説明】
【００１５】
【図１ａ】本発明品を操作盤に組み込まれたピンロック形回路遮断器に取り付けた状態の斜視図
【図１ｂ】本発明品を解除する状態の斜視図
【図２】従来におけるピンロック形回路遮断器のロックアウト状態の斜視図
【符号の説明】
【００１６】
１   ピンロック形回路遮断器
１ａ ピンロック形回路遮断器ピン孔
２ａ ロックバー
２ｂ 施錠柱
２ｃ 施錠孔
２ｄ ストッパー
３   ロックフック
４   南京錠
５   吊長シリンダー南京錠
【図１ａ】
2005347163.tif 000003
【図１ｂ】
2005347163.tif 000004
【図２】
2005347163.tif 000005